(57)【要約】【課題】熱剥離型接着剤の層を内部から効果的に加熱してカウンターと木質補強材とシンクとを簡単に分離できて、資源の再利用化を容易に行うことができる。【解決手段】カウンター１と、カウンター１の下面に固着されるシンク２及び木質補強材３からなるキッチンカウンターＡである。カウンター１とシンク２及びカウンター１と木質補強材３とをそれぞれ金属粉が混入された熱剥離型接着剤４の層を介して接着してある。高周波誘導加熱により熱剥離型接着剤４内に混入した金属粉を発熱させて熱剥離型接着剤４の層を内部から効果的に加熱して熱剥離型接着剤４の層が剥離可能な状態とする。【選択図】        図１
2005013410.tif 000002
【特許請求の範囲】
【請求項１】
カウンターと、カウンターの下面に固着されるシンク及び木質補強材からなるキッチンカウンターにおいて、カウンターとシンク及びカウンターと木質補強材とをそれぞれ金属粉が混入された熱剥離型接着剤の層を介して接着してあることを特徴とするキッチンカウンター。
【請求項２】
カウンターと、カウンターの下面に固着される木質補強材と、木質補強材に固着されるシンクとからなるキッチンカウンターにおいて、カウンターと木質補強材とを金属粉が混入された熱剥離型接着剤の層を介して接着し、シンクが木質補強材にねじ具で固着してあることを特徴とするキッチンカウンター。
【請求項３】
金属粉が熱剥離型接着剤の全量中に５〜３０重量％配合してあることを特徴とする請求項１又は請求項２記載のキッチンカウンター。
【請求項４】
高周波誘導加熱により請求項１乃至請求項３のいずれかに記載のキッチンカウンターの熱剥離型接着剤の層中の金属粉を加熱昇温させて熱剥離型接着剤の層を剥離することを特徴とするキッチンカウンターの回収方法。
【発明の詳細な説明】
【０００１】
【発明の属する技術分野】
本発明は、カウンターと木質補強材とシンクとよりなるキッチンカウンター及びキッチンカウンターの回収方法に関するものである。
【０００２】
【従来の技術】
従来から人造大理石製のカウンターの開口部の下面側の周囲にシンクの上端部のフランジを接着剤により取付けるものが知られており（例えば特許文献１参照）、また、人造大理石製のカウンターの補強を行うため、人造大理石製のカウンターの下面側に合板のような木質補強材を固着することが知られている。
【０００３】
そして上記従来にあっては、人造大理石製のカウンターとステンレス製や合成樹脂製のシンクの固着や、人造大理石製のカウンターと木質補強材の固着に当たっては反応硬化型接着剤により接着している。
【０００４】
ところで、近年環境問題の高まりや省資源化への要請等から、キッチンカウンターのリサイクルによる資源の有効利用が求められている。すなわち、人造大理石製のカウンター、木質補強材、ステンレス製や合成樹脂製のシンクを分離してリサイクルすることが求められている。
【０００５】
ところが、従来にあっては、接着剤で接着された人造大理石製のカウンターと木質補強材とステンレス製や合成樹脂製のシンクとを分離することは困難であった。このため、現状では接着剤で接着された人造大理石製のカウンターと木質補強材とステンレス製や合成樹脂製のシンクとのリサイクルが進んでいない。
【０００６】
そこで、カウンターと、カウンターの下面に固着されるシンク及び木質補強材からなるキッチンカウンターにおいて、カウンターとシンク及びカウンターと木質補強材とをそれぞれ熱剥離型接着剤の層を介して接着したものが特許文献２により提案してある。
【０００７】
ところが、このものにおいては、キッチンカウンターを加熱乾燥器内に入れ、キッチンカウンター全体を高温で加熱することで、熱剥離型接着剤を発泡させて剥離しやすいようにしているが、熱剥離型接着剤の層を外側から加熱するものであり、加熱に時間がかかり、また、外側から加熱するものであるからカウンター等が高温に加熱されて剥離作業がし難く、また、熱剥離型接着剤の層以外も高温に加熱するため、無駄なエネルギーを使用することになる。
【０００８】
【特許文献１】
特開平７−１１１９２１号公報
【特許文献２】
特開２００２−６１７７１号公報
【０００９】
【発明が解決しようとする課題】
本発明は上記の点に鑑みてなされたものであり、熱剥離型接着剤の層を内部から効果的に加熱してカウンターと木質補強材とシンクとを簡単に分離できて、資源の再利用化を容易に行うことができるキッチンカウンターを提供することを課題とするものである。
【００１０】
【課題を解決するための手段】
上記課題を解決するために本発明に係るキッチンカウンターは、カウンター１と、カウンター１の下面に固着されるシンク２及び木質補強材３からなるキッチンカウンターＡにおいて、カウンター１とシンク２及びカウンター１と木質補強材３とをそれぞれ金属粉が混入された熱剥離型接着剤４の層を介して接着してあることを特徴とするものである。
【００１１】
このような構成とすることで、リサイクルに当たって、高周波誘導加熱により熱剥離型接着剤４中に混入した金属粉を発熱させて熱剥離型接着剤４の層を内側から加熱することで、熱剥離型接着剤４の層を剥離可能な状態として、カウンター１とシンク２、カウンター１と木質補強材３とを容易に分離して資源の再利用ができるものであり、この場合、上記のように金属粉が混入された熱剥離型接着剤４を高周波誘導加熱することで金属粉が混入された熱剥離型接着剤４の層を内部から短時間で加熱でき、カウンター１などが加熱されず、剥離作業がし易く、また、熱剥離型接着剤４の層のみを内部から有効に加熱できて、省エネが図れるものである。
【００１２】
また、カウンター１と、カウンター１の下面に固着される木質補強材３と、木質補強材３に固着されるシンク２とからなるキッチンカウンターＡにおいて、カウンター１と木質補強材３とを金属粉が混入された熱剥離型接着剤４の層を介して接着し、シンク２が木質補強材３にねじ具５で固着してあることを特徴とするものであってもよい。
【００１３】
このような構成とすることで、シンク２をねじ具５により木質補強材３を介してカウンター１の下面側に固着することができるものであり、また、リサイクルに当たって、高周波誘導加熱により熱剥離型接着剤４中に混入した金属粉を発熱させて熱剥離型接着剤４の層を加熱することで、熱剥離型接着剤４の層を剥離可能な状態として、カウンター１と木質補強材３とを容易に分離することができるものであり、この場合、上記のように金属粉が混入された熱剥離型接着剤４を高周波誘導加熱することで金属粉が混入された熱剥離型接着剤４の層を内部から効果的に加熱できて、他の部材が加熱されず、剥離作業がし易く、また、必要な部位のみを有効に加熱できて、省エネが図れるものであり、また、ねじ具５による固着を解除することで木質補強材３とシンク２とを容易に分離することができるものである。
【００１４】
また、金属粉が熱剥離型接着剤４の全量中に５〜３０重量％配合してあることが好ましい。
【００１５】
このような構成とすることで、高周波誘導加熱することで金属粉が混入された熱剥離型接着剤４の層を効果的に剥離できる状態とすることができるものである。
【００１６】
また、本発明のキッチンカウンターの回収方法は、高周波誘導加熱により請求項１乃至請求項３のいずれかに記載のキッチンカウンターの熱剥離型接着剤４の層中の金属粉を加熱昇温させて熱剥離型接着剤４の層を剥離することを特徴とするものである。
【００１７】
このような方法を採用することで、高周波誘導加熱により金属粉を混入した熱剥離型接着剤４のみを内部から効果的に加熱して剥離可能な状態にできるものである。
【００１８】
【発明の実施の形態】
以下、本発明を添付図面に示す実施形態に基づいて説明する。
【００１９】
図１には本発明の一実施形態のキッチンカウンターＡが示してある。キッチンカウンターＡは、人造大理石製のカウンター１と、人造大理石製のカウンター１の下面に固着されて人造大理石製のカウンター１の補強を行うための合板製の木質補強材３と、人造大理石製のカウンター１の開口部９の下面側に取付けられるステンレス製や合成樹脂製のシンク２とで構成してある。
【００２０】
ここで、本発明においては、人造大理石製のカウンター１とステンレス製や合成樹脂製のシンク２及び人造大理石製のカウンター１と木質補強材３とがそれぞれ金属粉が混入された熱剥離型接着剤４の層を介して接着してある。シンク２の取付けに当たっては、シンク２の開口周縁部に設けたフランジ１０をカウンター１の開口部９の下面側の周縁部に当接して金属粉が混入された熱剥離型接着剤４の層を介して接着してある。
【００２１】
熱剥離型接着剤４は加熱により接着力が低下して剥離し易い性質を有するもので、熱剥離型接着剤４としては例えば加熱により発泡する接着剤であり、接着剤としては例えば、ウレタン系１液タイプ、変性シリコン系１液タイプ、エポキシ系１液タイプ、エポキシ系２液タイプ、エチレン酢酸ビニルエマルジョン系等の接着剤に発泡剤を混入したものが使用できる。ここで接着剤に混入する発泡剤としては、有機系、無機系のいずれのものも用いることができる。無機系発泡剤としては、例えば、炭酸アンモニウム、炭酸水素アンモニウム、亜硝酸アンモニウム、水素化ホウ素アンモニウム、アジト類などの分離型の無機系発泡剤を挙げることができる。また、有機系発泡剤としてはトリクロロモノフルオロメタン等のフッ化アルカン、アゾビスイソブチロニトリル等のアゾ系化合物、パラトルエンスルホニルヒドラジド等のヒドラジン系化合物、ρ−トルイレンスルホニルセミカルバジド等のセミカルバジド系化合物、５−モルホリル−１，２，３，４−チアトリアゾール等のトリアゾール系化合物、Ｎ，Ｎ’−ジニトロソテレフタルアミド等のＮ−ニトロソ化合物、その他の低沸点溶媒等が挙げられる。
【００２２】
また、熱剥離型接着剤４としてはホットメルト系接着剤であってもよい。
【００２３】
金属粉は熱剥離型接着剤４の全量中に５〜３０重量％配合するものである。例えば、金属粉を混入した熱剥離型接着剤４が接着剤と発泡剤と金属粉を混合したものの場合、接着剤と発泡剤と金属粉の合計量（これが熱剥離型接着剤４の全量である）に対して５〜３０重量％配合する。また、金属粉を混入した熱剥離型接着剤４がホットメルト系接着剤と金属粉を混合したものの場合、ホットメルト系接着剤と金属粉の合計量（これが熱剥離型接着剤４の全量である）に対して５〜３０重量％配合する。そして、金属粉としては誘導加熱、特に高周波誘導加熱により効率良く発熱するもの用いる。例えば鉄粉、アルミニウム粉等を用いることができる。
【００２４】
なお、図１において符号１１はゴムパッキンであり、カウンター１の開口部９の下面周囲とシンク２のフランジ１０の突出基部上面との間に介在してあって、カウンター１の下面とフランジ１０との間から金属粉が混入された熱剥離型接着剤４による固着部分側にシンク２の水が浸入しないようにしてある。
【００２５】
上記のような構成のキッチンカウンターＡをリサイクルするに当たっては、高周波誘導加熱により加熱することで、熱剥離型接着剤４中に混入してある金属粉が高周波誘導加熱により発熱し、この金属粉の発熱により熱剥離型接着剤４の層が内側から短時間で加熱されて熱剥離型接着剤４の層が発泡して多孔質状となり、多孔質状となった接着剤４の層はカウンター１と補強材３との接合面及びカウンター１とシンク２との接合面における接触面積がそれぞれ小さくなり、通常の面接着状態から、点接着状態となるものである。つまり、接着面積が小さくなると共に接着剤４の層自体の強度が低下するのでカウンター１と補強材３との剥離及びカウンター１とシンク２との剥離が容易に行え、異なる材料の分離が難しくてリサイクルが困難であったキッチンカウンターＡを分離してリサイクルすることが可能となるものである。
【００２６】
このようにキッチンカウンターＡをリサイクルするために熱剥離型接着剤４の層を加熱する必要があるのであるが、本発明においては上記のように、熱剥離型接着剤４中に金属粉を混入してあるので誘導加熱、特に高周波誘導加熱により金属粉が発熱し、熱剥離型接着剤４を内部から加熱できて、熱剥離型接着剤４部分のみを集中的に加熱できるものである。
【００２７】
ここで、図１に示す実施形態の具体例を挙げると、８ｍｍ厚の人造大理石製のカウンター１の下面に９ｍｍ厚の木質補強材３をシリコン系接着剤８０重量部、金属粉（鉄粉）１０重量部、発泡剤１０重量部の割合で混合した熱剥離型接着剤４で接着すると共に人造大理石製のカウンター１の下面にステンレス製のシンク２をウレタン系の接着剤８０重量部、金属粉（鉄粉）１０重量部、発泡剤１０重量部の割合で混合した熱剥離型接着剤４で接着した図１に示すようなキッチンカウンターＡの場合、高周波誘導加熱を１０秒行うことで、上記カウンター１と補強材３とを接着する熱剥離型接着剤４の層及びカウンター１とシンク２とを接着する熱剥離型接着剤４の層がいずれも加熱されて発泡して多孔質状の層となり、人造大理石製のカウンター１から容易に木質補強材３が剥離でき、また、人造大理石製のカウンター１からステンレス製や合成樹脂製のシンク２が容易に剥離できるものである。
【００２８】
また、図１に示す実施形態における他の具体例を挙げると、８ｍｍ厚の人造大理石製のカウンター１の下面に９ｍｍ厚の木質補強材３をホットメルト系接着剤７０重量部、金属粉（鉄粉）３０重量部の割合で混合した熱剥離型接着剤４で接着すると共に人造大理石製のカウンター１の下面にステンレス製のシンク２をホットメルト系接着剤７０重量部、金属粉（鉄粉）３０重量部の割合で混合した熱剥離型接着剤４で接着した図１に示すようなキッチンカウンターＡの場合、高周波誘導加熱を１０秒行うことで、上記カウンター１と補強材３とを接着する熱剥離型接着剤４の層及びカウンター１とシンク２とを接着する熱剥離型接着剤４の層がいずれも加熱されてホットメルト系接着剤が軟化し、人造大理石製のカウンター１から容易に木質補強材３が剥離でき、また、人造大理石製のカウンター１からステンレス製や合成樹脂製のシンク２が容易に剥離できるものである。
【００２９】
次に、図２に基いて本発明の他の実施形態につき説明する。本実施形態において基本的構成は前述の図１に示す実施形態と同じであるので、異なる構成について説明する。上記した図１に示す実施形態においては、人造大理石製のカウンター１とステンレス製や合成樹脂製のシンク２及び人造大理石製のカウンター１と木質補強材３とがそれぞれ金属粉が混入された熱剥離型接着剤４の層のみで接着したが、本実施形態においては、カウンター１とシンク２及びカウンター１と木質補強材３とを金属粉が混された熱剥離型接着剤４と、通常の反応硬化型接着剤４’とを併用して接着した例である。すなわち、カウンター１側に金属粉が混された熱剥離型接着剤４を厚塗り塗布し、その後、この塗布部分に通常の反応硬化型接着剤４’を用いてシンク２、木質補強材３を接着してある。
【００３０】
ここで、図２に示す本実施形態の具体例を挙げると、８ｍｍ厚の人造大理石製のカウンター１の下面の木質補強材３の取付け部分にそれぞれシリコン系接着剤８０重量部、金属粉（鉄粉）１０重量部、発泡剤１０重量部の割合で混合した熱剥離型接着剤４を０．２ｍｍ厚塗布した。次に、この金属粉を混入した熱剥離型接着剤４の塗布した部分に、９ｍｍ厚の木質補強材３及びステンレス製のシンク２を通常の２液反応硬化型ウレタン系接着剤で接着した図２に示すようなキッチンカウンターＡの場合、高周波誘導加熱を１０秒行うことで、上記カウンター１と補強材３とを接着する熱剥離型接着剤４の層及びカウンター１とシンク２とを接着する熱剥離型接着剤４の層がいずれも加熱されて発泡して多孔質状の層となり、人造大理石製のカウンター１から容易に木質補強材３が剥離でき、また、人造大理石製のカウンター１からステンレス製や合成樹脂製のシンク２が容易に剥離できるものである。
【００３１】
次に、図３に基づいて本発明の他の実施形態につき説明する。本実施形態においてキッチンカウンターＡは、人造大理石製のカウンター１と、人造大理石製のカウンター１の下面に固着されて人造大理石製のカウンター１の補強を行うための合板製の木質補強材３と、木質補強材３のうち人造大理石製のカウンター１の開口部９の下面側に固着した木質補強材３にねじ具５により取付けられるステンレス製や合成樹脂製のシンク２とで構成してある。
【００３２】
ここで、人造大理石製のカウンター１と木質補強材３とは前述のような金属粉を混入した熱剥離型接着剤４の層を介して接着してある。
【００３３】
金属粉を混入した熱剥離型接着剤４は前述と同様の構成のものを使用するので、この金属粉を混入した熱剥離型接着剤４の詳細な説明は省略する。本実施形態においては、上記のように、人造大理石製のカウンター１の下面の複数箇所に合板製の木質補強材３を金属粉を混入した熱剥離型接着剤４で接着して人造大理石製のカウンター１の補強を行い、更に、複数の木質補強材３のうち人造大理石製のカウンター１の開口部９の下面側の周囲に固着した木質補強材３の下面にステンレス製や合成樹脂製のシンク２の側壁部６から側方に突設形成した横向きの固定片７をゴムパッキン１１を介して押し付け、この状態でビスのようなねじ具５を固定片７から木質補強材３にねじ込むことで固着してある。
【００３４】
ここで、シンク２の側壁部６の上端よりやや下方に位置した部分から外側方に横向きの固定片７を突設してあり、シンク２の側壁部６の固定片７より上方の部位を木質補強材覆い部８としてある。そして、上記のように固定片７を木質補強材３にねじ具５で固着した場合、シンク２の側壁部６の上端部の木質補強材覆い部８により木質補強材３の内側面が覆われることになる。このようにシンク２の取付けに当たって、シンク２を木質補強材３にねじ具５により容易に取付けができ、且つ、リサイクルが容易なようにシンク２をカウンター１の下面に固着した木質補強材３にねじ具５により固着するような構成にしたと言えども、シンク２に設けた木質補強材覆い部８により木質補強材３の内側面を覆ってカウンター１の開口部９に木質補強材３が露出しないようにできるので、カウンター１の開口部９の縁部分の美観を損ねることがなく、商品価値が低下しないようになっている。また、上記のように木質補強材覆い部８を設けることで木質補強材３及び木質補強材３とシンク２との金属粉を混入した熱剥離型接着剤４による接合部分にシンク２側から水が浸入するのが防止できるものである。
【００３５】
上記のような構成のキッチンカウンターＡをリサイクルするに当たっては、前述と同様に高周波誘導加熱により加熱することで、熱剥離型接着剤４中に混入してある金属粉が高周波誘導加熱により発熱し、この金属粉の発熱により熱剥離型接着剤４の層が内側から短時間で加熱されて熱剥離型接着剤４の層が発泡して多孔質状となり、多孔質状となった接着剤４の層はカウンター１と補強材３との接合面における接触面積がそれぞれ小さくなり、通常の面接着状態から、点接着状態となるものである。つまり、接着面積が小さくなると共に熱剥離型接着剤４の層自体の強度が低下するのでカウンター１と補強材３との剥離が容易に行えることになる。また、シンク２はねじ具５により木質補強材３に固着してあるので、ねじ具５による固着を外すことで簡単にシンク２を木質補強材３から分離できるものである。これにより異なる材料の分離が難しくてリサイクルが困難であったキッチンカウンターＡを簡単に分離してリサイクルすることが可能となるものである。
【００３６】
ここで、図３に示す実施形態の一例を挙げると、８ｍｍ厚の人造大理石製のカウンター１の下面に９ｍｍ厚の木質補強材３をシリコン系接着剤８０重量部、金属粉（鉄粉）１０重量部、発泡剤１０重量部の割合で混合した熱剥離型接着剤４で接着し、更に、この木質補強材３の下面にステンレス製のシンク２の横向きの固定片７をゴムパッキン１１を介してビスよりなるねじ具５により固着して構成した図３に示すようなキッチンカウンターＡをリサイクルする場合、まず、ねじ具５を緩めてシンク２を木質補強材３から分離し、その後、高周波誘導加熱を１０秒行うことで、カウンター１と補強材３とを接着する金属粉を混入した熱剥離型接着剤４の層が加熱されて発泡して多孔質状の層となり、人造大理石製のカウンター１から容易に木質補強材３が剥離できるものである。
【００３７】
【発明の効果】
上記のように本発明にあっては、リサイクルに当たって、高周波誘導加熱により熱剥離型接着剤中に混入した金属粉を発熱させて熱剥離型接着剤の層を内側から加熱することで、熱剥離型接着剤の層を剥離可能な状態として、カウンターとシンク、カウンターと木質補強材とを容易に分離して資源の再利用ができるものであり、この場合、金属粉が混入された熱剥離型接着剤を高周波誘導加熱することで金属粉が混入された熱剥離型接着剤の層を内部から短時間で加熱でき、カウンターなどが加熱されず、剥離作業がし易く、また、熱剥離型接着剤の層のみを内部から有効に加熱できて、省エネが図れるものである。
【図面の簡単な説明】
【図１】本発明の一実施形態の断面図である。
【図２】同上の他の実施形態の断面図である。
【図３】同上の更に他の実施形態の断面図である。
【符号の説明】
Ａ  キッチンカウンター
１  カウンター
２  シンク
３  木質補強材
４  熱剥離型接着剤
【図１】
2005013410.tif 000003
【図２】
2005013410.tif 000004
【図３】
2005013410.tif 000005